(57)【要約】【課題】  下着の生地が傷んだり、ハンガー痕が付くのを防ぎ、必要に応じて着脱可能な下着用ハンガーのアタッチメント及び下着用ハンガーを提供すること。【解決手段】  下着用ハンガーは、薄板で形成したハンガー本体Ａと、その肩部１の両端部に着脱自在に装着したアタッチメントＢから成る。アタッチメントＢは、ハンガー本体Ａの板厚よりも幅広で、表面は角取りが施され、裏面に肩部１の端部を差し込む係止溝が設けられ、ハンガー本体Ａに取り付けるための固定手段（伸縮紐８，８’）を有する。【選択図】          図１
2005204682.tif 000002
【特許請求の範囲】
【請求項１】
薄板より成るハンガー本体の肩部の両端部にそれぞれ着脱自在に装着されて、肩部の先端部を被覆するアタッチメントであって、前記ハンガー本体の板厚よりも広幅に形成され、表面には角取りが施されると共に、裏面には前記肩部の先端部を抜挿可能に差し込む係止溝が設けられ、前記ハンガー本体に取り付けるための固定手段を有する下着用ハンガーのアタッチメント。
【請求項２】
表面の摩擦係数を前記ハンガー本体よりも大きくした請求項１に記載の下着用ハンガーのアタッチメント。
【請求項３】
摩擦係数の大きい素材を用いることにより、表面の摩擦係数を前記ハンガー本体よりも大きくした請求項２に記載の下着用ハンガーのアタッチメント。
【請求項４】
薄板より成り、左右に張り出す肩部からフックを上方へ突出したハンガー本体と、請求項１乃至３のいずれかに記載のアタッチメントとを有する下着用ハンガー。
【発明の詳細な説明】
【技術分野】
【０００１】
本発明は、下着用ハンガーのアタッチメントと、これを装着した下着用ハンガーに関する。
【背景技術】
【０００２】
店頭等において、様々な下着を吊り下げて支持するための下着用ハンガーは、図３に示すように、硬質プラスチック製の薄板で、左右に張り出す肩部１と、その中央から上方へ突出するフック２とを一体に形成したものが一般的である。
肩部１の両端部下縁には、それぞれ複数本の傾斜した突起３が適宜間隔をおいて突出され、肩部２の両端寄り上部には、上方に開口する出し入れ口４と、出し入れ口４から先端方向へ延びる第１のスリット５及び中央方向へ延びる第２のスリット６とが形成されている。
【０００３】
そして、両端部の突起３にショーツ、ガードル等の下半身用下着のウェスト口を係止し、第１のスリット５にスリップやブラジャーのストラップを引っ掛けて、吊り下げるようになっている。
また、この下着用ハンガーで袖付アンダーシャツやＴシャツのようなシャツ類を支持するには、その両肩部分を肩部１の両端部に被せ、襟刳り周囲部を第２のスリット６へ挿入する。
ところが、シャツ類は丸編みにより編成された伸縮しやすい生地を用いることが多く、下着用ハンガーは薄板で形成されているため、シャツの肩部分に下着用ハンガーの肩部１が食い込んで生地が傷んだり、肩部分の生地が伸びて肩部１の先端形状の痕がついて、商品価値が下がってしまう。
【発明の開示】
【発明が解決しようとする課題】
【０００４】
本発明は、下着をハンガー本体の肩部に被せて吊り下げても、生地が傷んだり、ハンガー痕が付くのを防ぐことができ、必要に応じてハンガー本体に着脱することができる下着用ハンガーのアタッチメント及び下着用ハンガーを提供することにある。
【課題を解決するための手段】
【０００５】
本発明の下着用ハンガーのアタッチメントは、薄板より成るハンガー本体の肩部の両端部にそれぞれ着脱自在に装着されて、肩部の先端部を被覆するものであって、前記ハンガー本体の板厚よりも広幅に形成され、表面は角取りが施されると共に、裏面に前記肩部の先端部を抜挿可能に差し込む係止溝が設けられ、前記ハンガー本体に取り付けるための固定手段を有する。
アタッチメントは、ハンガー本体の肩部先端にシャツ類のような下着を被せて吊り下げる場合に装着し、邪魔になる場合には取り外す。固定手段としては、アタッチメントに環状の伸縮紐を一体に設ける、係止溝によってハンガー本体を圧着する、アタッチメントとハンガー本体とをスナップ係合する等の適宜手段を採用する。
【０００６】
表面の摩擦係数を前記ハンガー本体よりも大きくすることが好ましい。
この場合、摩擦係数の大きい素材を用いることにより、表面の摩擦係数を前記ハンガー本体よりも大きくすることがある。アタッチメント全体を摩擦係数の大きい素材で形成しても、表面に摩擦係数の大きい素材を貼り付けても良い。
摩擦係数を大きくするための手段として、表面に梨地加工を施すことも考えられる。
本発明の下着用ハンガーは、薄板より成り、左右に張り出す肩部からフックを上方へ突出したハンガー本体と、上記いずれかのアタッチメントとを有する。
【発明の効果】
【０００７】
請求項１及び請求項４に係る発明によれば、アタッチメントを装着することにより、ハンガー本体の肩部の先端部が幅広でなだらかな形状になるので、伸縮性のある生地より成る下着を被せても、生地が傷んだり、生地が伸びてハンガー痕が付くのを防ぐことができる。
また、下着の種類によっては、アタッチメントを邪魔にならないよう取り外すことも可能である。
請求項２及び請求項３に係る発明によれば、ハンガー本体の肩部に被せた下着が滑り落ちるのを防止できる。
【発明を実施するための最良の形態】
【０００８】
以下、本発明の実施例を図面に基づいて詳細に説明する。図１は下着用ハンガーの要部正面図、図２はアタッチメントを示す。
図１に示すように、本発明の下着用ハンガーは、ハンガー本体Ａと、ハンガー本体Ａに着脱自在に装着されるアタッチメントＢとから成る。
ハンガー本体Ａは、図３に示す従来の下着用ハンガーと同様の構成を有するので詳細な説明を省略し、以下の記載においては、図３と共通の符号を採用する。
【０００９】
アタッチメントＢは、ハンガー本体Ａよりも摩擦係数の大きい軟質素材、例えば、シリコンゴム等より成り、肩部１の出し入れ口４よりも先の部分を覆うことができる長さを有し、ハンガー本体Ａの板厚よりも広幅に形成される。
また、アタッチメントＢは、図２に示すように、外端に近づくほど幅広く、且つ、高さも大きくなっており、表面は角取りが施されてなだらかに湾曲している。
アタッチメントＢの裏面には、ハンガー本体Ａの肩部１の端部を抜挿可能に差し込むための係止溝７が形成される。係止溝７は、ハンガー本体Ａの板厚とほぼ同じ幅を有し、裏面側及び内側に開口している。
また、アタッチメントＢの外端部及び内端部には、ハンガー本体Ａに取り付けるための固定手段である環状の伸縮紐８，８’がそれぞれ一体に設けられる。
【００１０】
ハンガー本体Ａの肩部１に下着を被せる場合は、図１に示すように、肩部１の両端部にアタッチメントＢをそれぞれ装着して、肩部１の先端を被覆する。アタッチメントＢを装着するには、肩部１の先端部をアタッチメントＢの内側端部に設けた伸縮紐８’に通して、伸縮紐８’を最も内側の突起３の基部に引っ掛け、肩部１の先端部を係止溝７に差し込んでから、外側端部に設けた伸縮紐８を下方へ折り曲げて突起３に係止する。
すると、ハンガー本体Ａの肩部１の両端部がアタッチメントＢで覆われて、幅広でなだらかになるため、下着の生地が傷んだり、ハンガー跡が付くのを防ぐことができる。また、摩擦係数の大きいアタッチメントＢが滑り止めとなって、下着が落下するのを防止する。
【００１１】
ハンガー本体Ａの第１のスリット５に下着のストラップを挿入する場合などには、アタッチメントＢが邪魔になるので取り外す。
なお、伸縮紐８，８’に代わるアタッチメントＢの固定手段としては、係止溝７を下端に近付くほど幅が狭くなるテーパー溝とし、その下端の幅をハンガー本体Ａの厚みよりも僅かに狭くして、係止溝７で肩部１を圧着することが可能である。また、アタッチメントを硬質素材で形成し、アタッチメントとハンガー本体とをスナップ係合によって着脱可能に固定しても良い。
さらに、アタッチメントの素材自体の摩擦係数が小さい場合には、アタッチメントの表面に、下着の生地が傷付かないような細かい梨地加工を施して、下地の滑落を防ぐことができる。
【図面の簡単な説明】
【００１２】
【図１】本発明の実施例を示す下着用ハンガーの要部正面図。
【図２】アタッチメントを示し、（イ）は平面図、（ロ）は（イ）のａ−ａ断面図、（ハ）は（イ）のｂ−ｂ断面図。
【図３】従来の下着用ハンガーの正面図。
【符号の説明】
【００１３】
Ａ  ハンガー本体
Ｂ  アタッチメント
１  肩部
２  フック
３  突起
４  出し入れ口
５  第１のスリット
６  第２のスリット
７  係止溝
８，８’  伸縮紐
【図１】
2005204682.tif 000003
【図２】
2005204682.tif 000004
【図３】
2005204682.tif 000005